(57)【要約】【課題】支持脚ロックの簡素化を図り作業の効率化と安全性を高める。【解決手段】門形クレーンは、巻き上げ機１５と、走行桁１２と、この走行桁１２の両端に折り畳み可能に取り付けられ、開脚位置で走行桁１２を支持する支持脚１３、１４とを備えている。開脚時に、互いに隣接する桁結合プレート２３と支持脚外側結合プレート３２とには、掛止部材１４０が設けられる。掛止部材１４０は、支持脚外側結合プレート３２に設けられた掛止片１４１と、桁結合プレート２３の下端部に揺動可能に設けられ開脚位置でこの掛止片１４１に掛止される鉤部１４２と、この鉤部１４２を内側、すなわち、開脚した支持脚１３、１４の掛止片１４１側に弾発付勢するばね１４３とを備えて構成される。支持脚１３、１４は開脚位置で自動的にロックされ、鉤部１４２を押す一操作でロック解除を行うようになっている。【選択図】　　　　図７
2004043038.tif 000002
【特許請求の範囲】
【請求項１】
上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、支持脚が上記開脚位置で走行桁に突き当たると支持脚をロックする開脚ロック機構を、走行桁と支持脚とのうち少なくともいずれか一方に設けたことを特徴とする門形クレーン。
【請求項２】
開脚ロック機構を、開脚時に走行桁と支持脚とが突き当たった状態で互いに隣接するそれぞれの部位に設けた掛止部材により構成し、掛止部材を、支持脚上部に設けられた掛止片と、走行桁に揺動可能に設けられ開脚位置でこの掛止片に掛止可能な鉤部と、この鉤部を開脚した支持脚の掛止片側に弾発付勢するばねとを備えて構成したことを特徴とする請求項１に記載の門形クレーン。
【請求項３】
掛止片と鉤部とにはそれぞれ、掛止片が支持脚の開放に応じて鉤部に当接し鉤部をばねの付勢力に抗して押し上げた際、開脚位置で鉤部を掛止片の掛止面に案内するガイド面が形成されることを特徴とする請求項２に記載の門形クレーン。
【請求項４】
折り畳み時、支持脚が折り畳み位置に達すると支持脚をロックする折り畳みロック機構を設けたことを特徴とする請求項１ないし３のうちいずれか１に記載の門形クレーン。
【請求項５】
折り畳みロック機構は、開脚ロック機構と連動され、開脚ロック機構の動作により折り畳まれてロックされた支持脚のロックを解除することを特徴とする請求項４に記載の門形クレーン。
【請求項６】
開脚ロック機構を、両端がそれぞれ走行桁と支持脚とに回動可能に取り付けられ一端が伸縮自在な支柱部と、オン・オフ操作によりこの支柱部の伸縮をロックまたはロック解除し、開脚時、支柱部を最大寸法に保持してロックする支柱ロック部とを備えた支持装置により構成したことを特徴とする請求項１に記載の門形クレーン。
【請求項７】
上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、両側の支持脚のうち少なくとも一方を、走行桁に折り畳み可能に取り付けられた円筒状脚部と、この円筒状脚部に脚長さを調整可能に収容された伸縮脚部とを備えて構成するとともに、円筒状脚部には下部にピンが挿通可能な挿通孔を穿設し、伸縮脚部には上記挿通孔と合致する調節孔を上下に多数穿設し、これら円筒状脚部と伸縮脚部とには伸縮脚部の回り止めをはかる回り止め機構を設けるとともに、ピンに係止溝を形成し、円筒状脚部には、ピン挿通時、ピンの係止溝に係脱自在に係止されピンの抜け止めをはかる抜け止め機構を設けたことを特徴とする門形クレーン。
【発明の詳細な説明】
【０００１】
【発明の属する技術分野】
本発明は、鉄道において重量物の移動作業等に用いられる門形クレーンに関する。
【０００２】
【従来の技術】
一般に、鉄道で用いられる門形クレーンは、線路や軌道材料等の重量物を現場で移動するのに利用される。かかる門形クレーンは、上部を巻き上げ機が走行自在に移動する走行桁と、この走行桁の両端に取り付けられた支持脚とを備えて構成され、その構造や形状に大きな差はないが、取り扱いと機構によって数種類の方式があり、ヨーロッパ等、海外では片方の脚が二股脚で、反対側はねじ付の一本脚により走行桁の高さを調節できる方式のものが多く、桁と脚はほとんどが固定されている。わが国では、古くから左右両脚とも二股脚で脚立方式のものが用いられている。この脚立方式のものは、左右一対の平行な走行桁を設け、その上にチェーンブロック方式のローラ付巻き上げ機を載せ、一対の桁間からチェーンを釣り下げ、このチェーン下端に取り付けられたレール把持具によりレールを把持し、チェーンの巻き取りによりレールを吊り上げ、上記巻き上げ機を手押し又はハンドル操作によりローラを回し横移動させて重量物を搬出させるようになっている。この方式のものは、人力で作業現場に持ち込んで使用する小型の門形クレーンである。
【０００３】
わが国の門形クレーンは、その後、左右の両脚が折り畳み構造になって、運搬や格納がしやすくなるとともに、片方の脚を、穿設された数個の穴の穴合わせによる伸縮脚として構成し、その調節によって走行桁の水平を保つようにしている。近年では、これら門形クレーンは人力で搬送可能となるように軽量化が望まれるようになったため、脚や走行桁の部材に従来の鉄に代えアルミニウムが用いられるようになってきた。
【０００４】
上記従来の門形クレーンは、例えば、図３０に示すように、走行桁２の両端に支持脚３、４が折り畳み可能に取り付けられて構成される。走行桁２は所定の間隙を隔てて設けられた一対の平行桁からなっている。走行桁２の上部には、巻き上げ機５が載置され、巻き上げ機５は走行桁２上を走行自在に移動するようになっている。支持脚３、４は、ヒンジピン６により走行桁２に回動可能に連結される。支持脚３、４には、上端部に走行桁２の縦壁２Ａと平行に内側に延びる支持脚側ロック用支持脚ブラケット３Ａ、４Ａが形成される。これら支持脚ブラケット３Ａ、４Ａは支持脚３、４の回動時、平行桁間の空隙に収容されるようになっている。この支持脚ブラケット３Ａ、４Ａには、ピン７が挿通可能な孔８が穿設される。また、走行桁２両端近傍の下部には、下方に張り出し、ピン７が挿通可能な孔９が穿設された走行桁側ロック用張り出し部１０が形成される。この門形クレーンは、走行桁２側に折り畳まれた支持脚３、４（図３１参照）が開かれ、図３０に示すように、支持脚３、４の上端部が走行桁２の下面に当接し、回動が規制されて開脚した際、走行桁側張り出し部１０の孔９と支持脚ブラケット３Ａ、４Ａの孔８が合致し、これら孔９、８にピン７を挿通して支持脚３、４を開脚状態でロックするようになっている。ピン７は紛失を防ぐため走行桁２に鎖を介して連結されている。また、図示しないが、他の方式では、支持脚ブラケット３Ａ、４Ａを支持脚上端部外側に設け、走行桁側ロック用張り出し部を走行桁外側壁下方に設け、支持脚の回動時、支持脚ブラケットが走行桁の外側壁に沿って回動するものもある。
【０００５】
【発明が解決しようとする課題】
一般に鉄道用の門形クレーンであって、搬出用および移動用の持ち運び可能な門形クレーンは、基地に固定設置した門形クレーンを除き、主に軌道のレール交換作業や軌道現場からのレール撤去作業、現場のレール整理作業に使用されている。これら作業はほとんどが列車の営業運転が終わった深夜や、列車通過間隔の間合いの長い時間帯に行われるため、作業時間が限られるので、門形クレーンの重量は少しでも軽量のものが、組み立て作業はより簡便なものが、操作はより安全性の高いものが望まれている。ところが、上記従来の門形クレーンでは、開脚時、ピン７を挿通するだけでは、作業中に僅かな移動が繰り返されるうちにピン７が抜け落ちるおそれがある。このため、従来、ピン７先端に枢支ピンを介して抜け止め用プレート（舌部材）１１（図３１参照）を設け、ピン７を舌付きピンとして構成している。その他、従来の門形クレーンでは、ロックピン先端に孔を穿設し、その孔に松葉ピンを差し込んでロックピンの抜け止めを図るようにしているものもある。
【０００６】
このように従来の門形クレーンでは、支持脚の開脚時、舌付きピン挿通用の孔８、９を走行桁側と支持脚側とで正確に合致させ、舌付きピン７の軸心とプレート１１の長手方向または中心線とを合致させないと舌付きピンを挿通させることができず、目視確認のしにくい暗い作業現場や降雨時など舌付きピン挿通に手間取るという問題があった。さらに、舌付きピン挿通後も、プレート１１をピン７に対して直角状に曲げて舌付きピン抜け止めの作業を行わなければならず、ピン７によるロック作業自体に手間取るという問題があった。また、舌付きピン７の紛失を避けるため、舌付きピン７を走行桁２に鎖等により連結して吊り下げるようにしているので、重量が増すという問題があった。また、抜け止めにロックピンと松葉ピンとを利用する場合も、松葉ピンを走行桁に紐で吊り下げるか、または、管理を別途行う必要があり、さらに、支持脚が伸縮脚である場合の調整固定ピンの抜け止めにプレート１１や松葉ピンを利用する場合も同様に操作が複雑化するとともに、別途管理の必要がある。このように、上記従来の門形クレーンでは、組み立て作業や解体作業に時間がかかり、しかも操作の複雑化が避けられないという問題があった。
【０００７】
本発明は上記欠点を除くためになされたもので、簡素な構成で、組み立て、解体作業を迅速かつ簡便に行うことができ、しかも、軽量化を図ることのできる門形クレーンを提供するものである。
【０００８】
【課題を解決するための手段】
本発明に係る門形クレーンは、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、支持脚が上記開脚位置で走行桁に突き当たると支持脚をロックする開脚ロック機構を、走行桁と支持脚とのうち少なくともいずれか一方に設けたものである。
【０００９】
本発明に係る門形クレーンでは、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、支持脚が上記開脚位置で走行桁に突き当たると支持脚をロックする開脚ロック機構を、走行桁と支持脚とのうち少なくともいずれか一方に設けるようにしているので、開脚時、支持脚を走行桁に突き当てるだけで、開脚ロック機構により両者が自動的に係止され支持脚がロックされる。折り畳み時には、開脚ロック機構の係合を解除すると、支持脚のロックが解除されるので、支持脚は折り畳まれる。このため、簡単な操作で組み立て作業および解体作業を行うことができ、作業が迅速化される。
【００１０】
本発明の請求項２に係る門形クレーンは、開脚ロック機構を、開脚時に走行桁と支持脚とが突き当たった状態で互いに隣接するそれぞれの部位に設けた掛止部材により構成し、掛止部材を、支持脚上部に設けられた掛止片と、走行桁に揺動可能に設けられ開脚位置でこの掛止片に掛止可能な鉤部と、この鉤部を開脚した支持脚の掛止片側に弾発付勢するばねとを備えて構成したものである。
【００１１】
本発明の請求項２に係る門形クレーンでは、開脚ロック機構を、開脚時に走行桁と支持脚とが突き当たった状態で互いに隣接するそれぞれの部位に設けた掛止部材により構成し、掛止部材を、支持脚上部に設けられた掛止片と、走行桁に揺動可能に設けられ開脚位置でこの掛止片に掛止可能な鉤部と、この鉤部を開脚した支持脚の掛止片側に弾発付勢するばねとを備えて構成しているので、開脚ロック時、鉤部が掛止片に付勢されて掛止されるため、外部から振動や衝撃が加えられても鉤部が掛止片から外れることがなく、開脚ロック状態を確実に維持することができる。また、たとえ、瞬間的にものが当たり鉤部にばねの付勢力に抗する力が加えられても、直ちにばねの力により掛止状態に復帰するため、安全に作業を行うことができる。作業終了後、鉤部をばねの付勢力に抗して押し回すと、鉤部と掛止片の係合が解除され、支持脚を押し倒すと、支持脚は走行桁に折り畳まれる。このため、ワンタッチ操作で支持脚を開脚したり折り畳む作業を行うことができ、作業性が格段に向上する。
【００１２】
本発明の請求項３に係る門形クレーンは、掛止片と鉤部とにはそれぞれ、掛止片が支持脚の開放に応じて鉤部に当接し鉤部をばねの付勢力に抗して押し上げた際、開脚位置で鉤部を掛止片の掛止面に案内するガイド面が形成されるようにしたものである。
【００１３】
本発明の請求項３に係る門形クレーンでは、掛止片と鉤部とにはそれぞれ、掛止片が支持脚の開放に応じて鉤部に当接し鉤部をばねの付勢力に抗して押し上げた際、開脚位置で鉤部を掛止片の掛止面に案内するガイド面が形成されるようにしているので、折り畳まれた支持脚を開脚する際、支持脚の開放に応じて鉤部が連動し、開脚位置で鉤部が掛止片の掛止面に自動的に導かれ、開脚ロックが円滑に行われる。
【００１４】
本発明の請求項４に係る門形クレーンは、折り畳み時、支持脚が折り畳み位置に達すると支持脚をロックする折り畳みロック機構を設けたものである。
【００１５】
本発明の請求項４に係る門形クレーンでは、折り畳み時、支持脚が折り畳み位置に達すると支持脚をロックする折り畳みロック機構を設けたので、支持脚は折り畳まれた状態でロックされるので、折り畳みロック作業が簡素化される。また、折り畳まれた状態で持ち運びする際、支持脚が不意に開くことがなく、作業の安全性が向上する。
【００１６】
本発明の請求項５に係る門形クレーンは、折り畳みロック機構は、開脚ロック機構と連動され、開脚ロック機構の解除動作により折り畳まれてロックされた支持脚のロックを解除するようにしたものである。
【００１７】
本発明の請求項５に係る門形クレーンでは、折り畳みロック機構は、開脚ロック機構と連動され、開脚ロック機構の動作により折り畳まれてロックされた支持脚のロックを解除するようにしているので、支持脚が走行桁に折り畳まれてロックされている状態で、開脚ロック機構を手または足でワンタッチ操作することにより折り畳みロックが解除されるので、支持脚が開放状態となり作業が迅速化される。
【００１８】
本発明の請求項６に係る門形クレーンは、開脚ロック機構を、両端がそれぞれ走行桁と支持脚とに回動可能に取り付けられ一端が伸縮自在な支柱部と、オン・オフ操作によりこの支柱部の伸縮をロックまたはロック解除し、開脚時、支柱部を最大寸法に保持してロックする支柱ロック部とを備えた支持装置により構成したものである。
【００１９】
本発明の請求項６に係る門形クレーンでは、開脚ロック機構を、両端がそれぞれ走行桁と支持脚とに回動可能に取り付けられ一端が伸縮自在な支柱部と、オン・オフ操作によりこの支柱部の伸縮をロックまたはロック解除し、開脚時、支柱部を最大寸法に保持してロックする支柱ロック部とを備えた支持装置により構成しているので、折り畳まれた支持脚を開脚する際、支持脚が開かれるに従って支柱部が延び、支柱部が最大寸法に達して支持脚が開脚位置に到り、支柱ロック部を操作して支柱部の伸縮をロックすると、支持脚は開脚位置でロックされる。作業終了後、支柱ロック部をオフ操作して伸縮のロックを解除し、支持脚を押し倒すと、支持脚は走行桁に折り畳まれる。折り畳み時、支持脚が折り畳み位置に到ると支柱部は最小寸法となり、この状態で支柱ロック部をオン操作すれば支柱部の伸縮がロックされ、支持脚は折り畳まれた状態でロックされる。このため、ワンタッチ操作で開脚ロック作業および折り畳みロック作業を行うことができ、作業性が向上する。
【００２０】
本発明の請求項７に係る門形クレーンは、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、両側の支持脚のうち少なくとも一方を、走行桁に折り畳み可能に取り付けられた円筒状脚部と、この円筒状脚部に脚長さを調整可能に収容された伸縮脚部とを備えて構成するとともに、円筒状脚部には下部にピンが挿通可能な挿通孔を穿設し、伸縮脚部には上記挿通孔と合致する調節孔を上下に多数穿設し、これら円筒状脚部と伸縮脚部とには伸縮脚部の回り止めをはかる回り止め機構を設けるとともに、ピンに係止溝を形成し、円筒状脚部には、ピン挿通時、ピンの係止溝に係脱自在に係止されピンの抜け止めをはかる抜け止め機構を設けたものである。
【００２１】
本発明の請求項７に係る門形クレーンでは、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、両側の支持脚のうち少なくとも一方を、走行桁に折り畳み可能に取り付けられた円筒状脚部と、この円筒状脚部に脚長さを調整可能に収容された伸縮脚部とを備えて構成するとともに、円筒状脚部には下部にピンが挿通可能な挿通孔を穿設し、伸縮脚部には上記挿通孔と合致する調節孔を上下に多数穿設し、これら円筒状脚部と伸縮脚部とには伸縮脚部の回り止めをはかる回り止め機構を設けるとともに、ピンに係止溝を形成し、円筒状脚部には、ピン挿通時、ピンの係止溝に係脱自在に係止されピンの抜け止めをはかる抜け止め機構を設けるようにしたので、支持脚の伸縮作業時、円筒状脚部に対して伸縮脚部は回り止めされ、伸縮脚部を上下動させるだけで挿通孔と調節孔とを合致させることができる。伸縮脚部の伸縮ロック時には、合致した挿通孔と調節孔とにピンを押し込むだけで、ピンは抜け止めされるので、伸縮ロック作業が簡素化される。また、ピンを引く抜くだけで、伸縮ロックが解除されるので、作業終了後の折り畳み作業も大幅に効率化される。
【００２２】
【発明の実施の形態】
以下、本発明を図面に示す実施の形態を参照して説明する。図１は本発明の第１の実施の形態に係る門形クレーンを示す説明図である。この第１の実施の形態に係る門形クレーンは、図１に示すように、走行桁１２とこの走行桁１２の両端に折り畳み可能に取り付けられた支持脚１３、１４とを備えて構成される。走行桁１２は、図３に示すように、一定の間隔を隔てて設けられた左右一対の平行な平行桁２１、２２とこれら両平行桁２１、２２を両端で結合する板状の桁結合プレート２３（図１および図２参照）とを備えている。
【００２３】
平行桁２１、２２の上面には、平坦な走行面２１Ａ，２２Ａが形成される。走行桁１２の外側縦壁１２Ａ、１２Ｂ（図３参照）両端には、図１に示すように、取手ブラケット２５、２６が突出して設けられる。この取手ブラケット２５、２６には、取手２７が取り付けられる。
【００２４】
走行桁１２の上部には、図１および図２に示すように、巻き上げ機１５が載置される。巻き上げ機１５には４個のローラが設けてあり、平行桁２１、２２間のガイド（空隙）２９（図３参照）に沿って、走行桁１２の走行面２１Ａ，２２Ａ上を走行自在に移動するようになっている。
【００２５】
支持脚１３、１４は、図４の（Ａ）ないし（Ｄ）に示すように、円筒状部材を逆Ｖ字状に形成した二股の脚となっている。一方の支持脚１３には、伸縮脚部１３Ｂ（図１参照）が内部に収容され、脚長さを調節できるようになっている。一方の支持脚１３の長さを調整することにより、走行桁１２の水平を確保するようになっている。伸縮脚部１３Ｂには、図４の（Ａ）に示すように縦方向に調節孔３９が多数穿設される。調節時には、支持脚１３下部に穿設された挿通孔５１と、伸縮脚部１３Ｂの選択された調節孔３９とを重ねあわせ、これら重なった孔５１、３９にピン３８を挿通するようになっている。
【００２６】
伸縮脚部１３Ｂの外周には、図４の（Ｃ）に示すように、軸方向に沿って直線状の縦溝５３が形成される。支持脚１３の逆Ｖ字状二股脚部１３Ｅの下部には、この縦溝５３に係止される回り止め係止部５４が設けられる。回り止め係止部５４は、二股脚部１３Ｅの下部に穿設されたねじ穴１３Ｆに鋼球５４Ａを装着し、このねじ穴１３Ｆにボルト５４Ｂを螺挿して構成される。鋼球５４Ａはボルト５４Ｂに押し当てられ、縦溝５３に突出するようになっている。これら縦溝５３と回り止め係止部５４とにより伸縮脚部１３Ｂの回り止め機構を構成している。伸縮脚部１３Ｂは縦溝５３に鋼球５４Ａが嵌まり込んでいるので、回り止めされ上下に動くようになっている。鋼球５４Ａは、伸縮脚部１３Ｂの上下動に応じてねじ穴１３Ｆ内で転動するようになっているので、伸縮脚部１３Ｂは滑らかに上下動するようになっている。
【００２７】
ピン３８は、図４の（Ｄ）に示すように、伸縮脚部１３Ｂを固定する抜き差しピンで、先端が円錐状に形成される。このピン３８は、先端円錐状部の近傍に抜け止め用の周溝（係止溝）３８Ａが形成される。
【００２８】
支持脚１３の逆Ｖ字状二股脚部１３Ｅの下部には、挿通孔５１、５１のうち一方に、上記抜き差しピン３８を係脱可能に係止する抜け止め係止部５５が設けられる。この抜け止め係止部５５は、図４の（Ｄ）に示すように、挿通孔５１に合致して形成された係止孔５５Ａとこの係止孔５５Ａに直角に接続され係止孔５５Ａに開口部５５Ｃが臨んで穿設された大径のねじ穴５５Ｂとをそれぞれ有するブロック５６と、このねじ穴５５Ｂに収納され一部が上記開口部５５Ｃから一部が係止孔５５Ａに突出可能な鋼球５７と、このねじ穴５５Ｂにばね（図示せず）を介して螺挿され鋼球５７を係止孔５５Ａに突出させるねじ（図示せず）とを備えて構成される。ピン３８の周溝３８Ａと抜け止め係止部５５とによりピン３８の抜け止め機構を構成している。
【００２９】
抜け止め係止部５５は、ピン３８先端が他方の挿通孔５１から挿通され伸縮脚部１３Ｂの調節孔３９を貫通して係止孔５５Ａから外部に突出して規制されると、周溝３８Ａがねじ穴５５Ｂに合致するようになっている。このため、鋼球５７が図示しないばねの弾発付勢力により周溝３８Ａに圧接され、ピン３８の抜け止めがなされるようになっている。ピン３８は後端の操作リング３８Ｂにより図示しないばねの付勢力に抗して引き抜かれると、外れるようになっている。
【００３０】
このように、回り止め係止部５４と抜け止め係止部５５とを設けたことにより、支持脚の伸縮作業時、伸縮脚部を上下動させるだけで挿通孔５１と調節孔３９とを合致させ、しかも、ピンを押し込むだけで、ピンは抜け止めされるので、伸縮ロック作業が簡素化される。また、ピンを引く抜くだけで、伸縮ロックが解除されるので、作業終了後の折り畳み作業も効率化される。
【００３１】
二股状支持脚１３、１４には、図２に示すように、下部の開いた脚間に支持パイプ２４が連結して設けられる。また、二股状支持脚１３、１４の上部分岐元１３Ｃ、１４Ｃには、図２および図５に示すように、内側と外側とに台形状の支持脚結合プレート３１、３２がそれぞれ溶接され、二股状支持脚１３、１４の上端開口部１３Ｄ、１４Ｄには、支持脚上端結合プレート３３が支持脚結合プレート３１、３２の上端を結んで溶接される。これら各プレート３１、３２、３３で断面コ字状の結合部を形成するようになっている。
【００３２】
支持脚内側結合プレート３１と支持脚上端結合プレート３３とには、図１、図３および図５に示すように、走行桁１２の外側縦壁１２Ａ、１２Ｂと平行にガイド２９内を上方に突出しかつ内側に向かって延びる支持脚ブラケット１３Ａ、１４Ａが形成される。支持脚ブラケット１３Ａ、１４Ａは図５に示すように平行な２枚のプレートから構成され、それぞれのプレートには互いに中心が合致するピン孔３４が穿設される。支持脚１３、１４は、支持脚ブラケット１３Ａ、１４Ａのピン孔３４と走行桁１２のピン孔３５（図３参照）とに挿通されたヒンジピン１６により走行桁１２に回動可能に連結される。支持脚ブラケット１３Ａ、１４Ａの各ピン孔３４、３４には、図３に示すように、両ピン孔３４、３４の内周面を結んで円筒状筒部６５が溶接され、この筒部６５の内側に回動可能にカラー６６が挿通されてヒンジピン１６に連結されるようになっている。
【００３３】
支持脚１３、１４は、走行桁１２に折り畳まれた状態（図６参照）から外側に開かれてゆくと、図１に示すように、支持脚上端結合プレート３３の上面が走行桁１２の下面１２Ｃ（図３参照）に当たってそれ以上の回動が規制され、所定の開放位置で開脚されるようになっている（図１の支持脚１３、１４の開脚状態参照）。開脚時、支持脚上端結合プレート３３上面は走行桁１２の下面１２Ｃに当接して突き合わされ、突き合わせ部を構成するようになっている。支持脚１３、１４の支持脚外側結合プレート３２は、開脚時、図２に示すように、上端部が支持脚上端結合プレート３３を介して走行桁１２両端の桁結合プレート２３の下端部に臨み、隣り合うようになっている。そして、開脚時、これら互いに隣り合う支持脚外側結合プレート３２と桁結合プレート２３とにより上下方向にほぼ平坦な面が形成されるようになっている。
【００３４】
ところで、上記実施の形態に係る門形クレーンでは、図７に示すように、開脚時、それぞれ互いに隣接する桁結合プレート２３の下部と、支持脚外側結合プレート３２の上部とに、掛止部材（開脚ロック機構）１４０（１４１、１４２、１４３）が取り付けられる。図７および図８に示すように、支持脚外側結合プレート３２の上部に接合された掛止片１４１と、桁結合プレート２３の下端部に揺動可能に設けられ開脚位置でこの掛止片１４１に掛止可能な鉤部１４２と、この鉤部１４２下部を内側、すなわち、開脚した支持脚１３、１４の掛止片１４１側に弾発付勢するばね１４３とを備えて構成される。
【００３５】
鉤部１４２は、桁結合プレート２３の下端部に接合された断面コ字状支持部１４４に軸１４５を介して揺動可能に軸支される。ばね１４３は支持部１４４と鉤部１４２との間に設けられ、鉤部１４２を図７に示す軸１４５を中心に時計回りの方向に付勢している。支持脚外側結合プレート３２の上部と桁結合プレート２３の下端部とは、開脚時に走行桁１２と支持脚１３、１４とが突き当たった状態で互いに隣接する部位となっており、これら隣接する部位に掛止片１４１と鉤部１４２とがそれぞれ設けられる。
【００３６】
掛止片１４１には、図７に示すように、下面に掛止面１４１Ａが傾斜して形成されるとともに、ガイド面１４１Ｂがこの掛止面１４１Ａに連続して曲面に形成される。この実施の形態では、掛止面１４１Ａの傾斜角度は水平面に対しおよそ１０度としている。鉤部１４２には、下部に切欠部１４２Ａが形成される。切欠部１４２Ａの上面は傾斜した掛止面１４１Ａに合致するように形成される。この切欠部１４２Ａは、支持脚１３、１４が開脚位置にある時、鉤部１４２の揺動により掛止片１４１の掛止面１４１Ａに接触したり離脱したりするようになっている。鉤部１４２の下端部には、支持脚１３、１４が折り畳まれた状態から開放されてゆく時、掛止片１４１のガイド面１４１Ｂに当接して掛止片１４１を切欠部１４２Ａに案内するガイド面１４２Ｂが形成される。これら両ガイド面１４１Ｂ、１４２Ｂは、掛止片１４１が支持脚１３、１４の開放に応じて鉤部１４２に当接し鉤部１４２をばね１４３の付勢力に抗して押し上げると、互いに摺接位置を変えながら両ガイド面１４１Ｂ、１４２Ｂの終端に達し、開脚位置で切欠部１４２Ａを掛止片１４１の掛止面１４１Ａに案内するようになっている。鉤部１４２は、上部をばね１４３の付勢力に抗して押し回すと、掛止片１４１との係合が解かれるようになっている。
【００３７】
鉤部１４２は掛止片１４１に掛止されると、掛止面１４１Ａが傾斜して形成されていることと常時ばね１４３により付勢されることと相俟って、振動や衝撃を受けても外れないようになっている。
【００３８】
次に、上記第１の実施の形態に係る門形クレーンの作用について説明する。図６に示すように、支持脚１３、１４が折り畳まれた門形クレーンを組み立てる場合、まず、折り畳まれた状態では、支持脚１３、１４側と走行桁１２側とにそれぞれ設けられた掛止片１４１と鉤部１４２は、分離された状態となっている。このとき鉤部１４２は、図７に示すように、ばね１４３の付勢力により支持部１４４下端に当接し傾斜した状態となっている。鉤部１４２が傾斜状態にあるとき、鉤部１４２のガイド面１４２Ｂは内側に向いている。
【００３９】
門形クレーンを作業現場に持ち込み、折り畳まれた状態から支持脚１３、１４を外側に押し開くと、図７に示すように、掛止片１４１のガイド面１４１Ｂが鉤部１４２のガイド面１４２Ｂに当たり、さらに支持脚１３、１４を開くと、ガイド面１４１Ｂ、１４２Ｂ同士が摺接しながら、掛止片１４１は鉤部１４２をばね１４３の付勢力に抗して図７に示す軸１４５に対して反時計回り方向に押し回す。そして、支持脚上端結合プレート３３が走行桁下面１２Ｃに突き当たり開脚位置に達すると、各ガイド面１４１Ｂ、１４２Ｂ同士がともに終端に到り、鉤部１４２がばね１４３により弾発揺動し切欠部１４２Ａが掛止面１４１Ａに掛止される。このため、開脚時、支持脚１３、１４を走行桁１２に突き当てるだけで、支持脚１３、１４が走行桁１２に自動的にロックされる。
【００４０】
作業終了後、支持脚１３、１４を折り畳む際には、鉤部１４２上部を走行桁１２側に押し回して、鉤部１４２と掛止片１４１の係合を解き、支持脚１３、１４を折り畳み方向に押し倒すだけで折り畳むことができる。このように、折り畳まれた支持脚１３、１４は、開脚位置まで押し開くだけで自動的にかつ確実にロックされるので組み立て作業時間を大幅に短縮することができる。折り畳み時には、鉤部１４２の上端部を押すだけで、掛止片１４１と鉤部１４２との係合が解除されので、支持脚１３、１４は、開脚位置でワンタッチの操作により容易にロックが解除される。このため、上記第１の実施の形態に係る門形クレーンでは、作業現場の明暗や気象状況等、悪条件下であっても、手の感触だけを頼りに容易に支持脚のロックおよびロック解除ができるので、簡単な操作で組み立て作業および解体作業を行うことができ、作業が迅速化される。
【００４１】
次に、上記第１の実施の形態に係る門形クレーンの第１の変形例について、図９および図１０に基づいて説明する。この第１の変形例に係る門形クレーンは、上記第１の実施の形態に係る門形クレーンが、鉤部１４２を単一の板状部材により構成しているのに対し、図９および図１０に示すように、鉤部２４２、２５２をピン２５１Ａ、２５１Ｂで結合した２枚の板状部材により構成した点が異なっている。
【００４２】
鉤部２４２、２５２は、図９および図１０に示すように、桁結合プレート２３の下端部に接合された断面コ字状支持部２４４に軸２４５を介して揺動可能に軸支される。ばね２４３は支持部２４４と鉤部２４２、２５２との間に設けられ、鉤部２４２、２５２を図９に示す軸２４５に対し時計回りの方向に付勢している。支持脚外側結合プレート３２の上部には、掛止片２４１が取り付けられる。
【００４３】
この変形例に係る門形クレーンのロック機構２４０は、掛止片２４１と鉤部２４２、２５２とにより構成される。掛止片２４１には、図９に示すように、下面に掛止面２４１Ａが形成されるとともに、ガイド面２４１Ｂがこの掛止面２４１Ａに連続して形成される。両鉤部２４２、２５２には、下部に切欠部２４２Ａが形成される。切欠部２４２Ａの上面は掛止面２４１Ａに合致するように形成される。この切欠部２４２Ａは、支持脚１３、１４が開脚位置にあるとき、鉤部２４２、２５２の揺動により掛止片２４１の掛止面２４１Ａに接触したり離脱したりするようになっている。鉤部２４２、２５２の下端部には、支持脚１３、１４が折り畳まれた状態から開放されてゆくとき、掛止片２４１のガイド面２４１Ｂに当接して掛止片２４１を切欠部２４２Ａに案内するガイド面２４２Ｂが形成される。これら両ガイド面２４１Ｂ、２４２Ｂは、掛止片２４１が支持脚１３、１４の開放に応じて鉤部２４２、２５２に当接し鉤部２４２、２５２をばね２４３の付勢力に抗して押し上げると、互いに摺接位置を変えながら両ガイド面２４１Ｂ、２４２Ｂの終端に達し、開脚位置で切欠部２４２Ａを掛止片２４１の掛止面２４１Ａに案内するようになっている。鉤部２４２、２５２は、上部をばね２４３の付勢力に抗して押し回すと、掛止片２４１との係合が解かれるようになっている。掛止面２４１Ａの傾斜角度は水平面に対し、およそ１０度となっている。
【００４４】
この第１の変形例に係る門形クレーンでは、鉤部２４２、２５２を２枚の板状部材から構成しているので、強度を確保することができるとともに、鉤部２４２、２５２は２点で掛止片２４１に掛止されるのでより強固にロックすることができる。
【００４５】
図１１ないし図１２は、支持脚折り畳み時の折り畳みロック機構をそれぞれ示すもので、図１１に示す折り畳みロック機構３０１は、鉤部１４２、２４２（２５２）と連動して折り畳みロックの解除を行うように構成したもの、図１２に示す折り畳みロック機構４０１は、鉤部１４２、２４２（２５２）に関係なく独立して折り畳みのロックまたはロック解除を行うように構成したものである。
【００４６】
折り畳みロック機構３０１は、図１１に示すように、支持脚ブラケット１３Ａ、１４Ａに設けられた係止片３０２と、桁結合プレート２３の内側に揺動可能に設けられ、揺動位置に応じて係止片３０２を係脱自在にロックするとともに鉤部１４２、２４２（２５２）に連動して揺動する係止片ロック部材３０３とを備えて構成される。係止片３０２は、支持脚１３、１４が開脚状態で支持脚ブラケット１３Ａ、１４Ａ頂部から起立して設けられ、桁結合プレート２３側の面は角部が曲面に形成されたガイド面３０２Ａとなっている。この係止片３０２は、折り畳み時、図１１に示すように、桁結合プレート２３側に横転するようになっている。
【００４７】
係止片ロック部材３０３は、図１１に示すように、桁結合プレート２３の内側の設けられた支持部３０４に揺動可能に支持され、上端部が接続部材３０５を介して鉤部１４２、２４２（２５２）の上端部と連結される。係止片ロック部材３０３の下端部は平坦に形成されるとともに、下端部の内側角部は曲面に形成されたガイド面３０３Ａとなっている。
【００４８】
折り畳みロック機構３０１は、支持脚１３、１４が開脚状態から折り畳まれる際、係止片３０２が支持脚ブラケット１３Ａ、１４Ａの回転に伴って図１１に示すヒンジピン１６を中心に時計回り方向に回転されると、ガイド面３０２Ａが係止片ロック部材３０３の下部に当たり、さらにばね１４３、２４３の付勢力に抗して係止片ロック部材３０３を押し回すと、折り畳み位置でガイド面３０２Ａ、３０３Ａの終端に至り係止片ロック部材３０３がばね１４３、２４３により弾発揺動し、係止片ロック部材３０３下端面が係止片３０２の平坦面３０２Ｂに当接する。このため、係止片３０２は横転状態で係止片ロック部材３０３に係止され、支持脚１３、１４は折り畳まれた状態でロックされる。折り畳みロック解除時には、鉤部１４２、２４２（２５２）の上部をばね１４３、２４３の付勢力に抗して押すと、係止片ロック部材３０３が連動して揺動し係止片３０２との係合が解除されるようになっている。
【００４９】
このように図１１に示す折り畳みロック機構３０１は、支持脚１３、１４が折り畳み位置まで折り畳まれると、折り畳まれた状態で自動的にロックされる。このため、折り畳まれた状態で持ち運びする際、支持脚１３、１４が不意に開くことがなく、作業の安全性が向上する。また、折り畳まれロックされた状態から、開脚する際、鉤部１４２、２４２（２５２）を一押しの操作をするだけで折り畳みロックが解除されるので、作業を迅速に行うことができる。
【００５０】
図１２および図１３に示す折り畳みロック機構４０１は、支持脚ブラケット１３Ａ、１４Ａに設けられピン差し込み孔４０２Ａが穿設された係止ブロック４０２と、ピン差し込み孔４０２Ａに挿脱自在に貫通されるピン４０３とを備えて構成される。係止ブロック４０２は、図１２に示すように、折り畳み時、ピン差し込み孔４０２Ａが走行桁下面１２Ｃのすぐ下に位置するとともに、ヒンジピン１６直下よりも外側に位置するようになっている。係止ブロック４０２には、ピン抜け止め用のボールプランジャ４０４が設けられる。このボールプランジャ４０４は、ピン差し込み孔４０２Ａの軸心に対して径方向に進退動し、ばねによりピン差し込み孔４０２Ａ内に突出するボールを備えて構成される。ピン４０３には、図１３に示すように、ピン差し込み孔４０２Ａに差し込まれた際、ボールプランジャ４０４のボールを受け入れ可能な周溝４０３Ａが形成される。ピン４０３は、接続具により走行桁１２又は支持脚１３、１４のいずれか一方に取り付けられるようになっている。
【００５１】
このため、折り畳み時、図１２および図１３に示すように、ピン４０３をピン差し込み孔４０２Ａに差し込むと、ピン４０３と走行桁下面１２Ｃが当接し、支持脚１３、１４は折り畳まれた状態でロックされるようになっている。また、ピン４０３を、ピン差し込み孔４０２Ａに差し込む際、先端側の通過時、ボールプランジャ４０４のボールがばねの弾発力に抗してピン差し込み孔４０２Ａからボールプランジャ４０４内に押し込まれ、先端側がピン差し込み孔４０２Ａを貫通して外部に露出し、周溝４０３Ａがボール上を通過した際、ボールはばねの弾発力によりピン差し込み孔４０２Ａに突出して周溝４０３Ａに嵌まり、ピン４０３の抜け止めを図るようになっている。ピン４０３は、ボールプランジャ４０４のばねの弾発力に抗する力で引き抜くと、ピン差し込み孔４０２Ａから外れるようになっている。
【００５２】
このように、上記第１の実施の形態に係る門形クレーンおよびその第１の変形例に係る門形クレーンでは、図１１に示す折り畳みロック機構３０１または図１２に示す折り畳みロック機構４０１を設けることにより、支持脚１３、１４は折り畳まれた状態でロックされるので、折り畳まれた状態で持ち運びする際、支持脚１３、１４が不意に開くことがなく、作業の安全性が向上する。
【００５３】
次に、上記第１の実施の形態に係る門形クレーンの第２の変形例について、図１４および図１５に基づいて説明する。この第２の変形例に係る門形クレーンは、上記第１の実施の形態および第１の変形例に係る門形クレーンが、支持脚ブラケット１３Ａ、１４Ａを平行桁２１、２２の間に配置し、開脚ロック機構１４０、２４０を、走行桁１２の長手方向両側部（桁結合プレート２３の外面）の略中央と支持脚１３、１４の外側支持脚結合プレート３２の略中央とにそれぞれ設けるようにしているのに対し、図１４および図１５に示すように、支持脚ブラケット１３Ｍ、１４Ｍを平行桁２１、２２の外側に設け、開脚ロック機構２６０をこれら支持脚ブラケット１３Ｍ、１４Ｍに掛止され、取手ブラケット２５、２６の外側に設けられた鉤部２６２、２６３により構成した点が異なっている。
【００５４】
この第２の変形例に係る門形クレーンのロック機構２６０は、支持脚ブラケット１３Ｍ、１４Ｍに形成された掛止凹部２６１と鉤部２６２、２６３とにより構成される。
【００５５】
支持脚ブラケット１３Ｍ、１４Ｍは、図１４および図１５に示すように、支持脚１３、１４から走行桁１２に向かってヒンジピン１６で結んだほぼ三角形状に形成され、ヒンジピン１６を介して走行桁１２の外側壁１２Ａ、１２Ｂに沿って回動するように支持脚１３、１４に取り付けられる。この支持脚ブラケット１３Ｍ、１４Ｍには、図１４および図１５に示すように、掛止凹部２６１が、開脚状態で支持脚ブラケット１３Ｍ、１４Ｍの外側の一辺１３Ｎ、１４Ｎに切り込まれて形成される。
【００５６】
鉤部２６２、２６３は、図１４および図１５に示すように、桁結合プレート２３両側に設けられた取手ブラケット２５、２６の外側に設けられ、軸２６４を介して揺動可能に軸支される。鉤部２６２、２６３はピン２６５、２６６で結合した２枚の板状部材から構成される。ばね２６７、２６８は取手ブラケット２５、２６と軸２６４との間に設けられ、鉤部２６２、２６３を図１４に示す軸２６４に対し時計回りの方向に付勢している。
【００５７】
支持脚ブラケット１３Ｍ、１４Ｍには、図１４に示すように、ヒンジピン１６側に延びる上辺１３Ｐ、１４Ｐの掛止凹部２６１側の角部が曲面に形成され、ガイド部２７３を構成している。鉤部２６２、２６３はそれぞれ細長いプレート状部材からなり、下端部には、ヒンジピン１６側に突出し、支持脚１３、１４が開脚位置にあるとき、掛止凹部２６１に掛止される突出部２６９が形成される。突出部２６９の上面２７１は掛止凹部２６１の掛止面２６１Ａと合致するようになっている。突出部２６９は、支持脚１３、１４が開脚位置にあるとき、鉤部２６２、２６３の回動により掛止凹部２６１の掛止面２６１Ａに接触したり離脱したりするようになっている。
【００５８】
鉤部２６２、２６３の下端部、すなわち、突出部２６９の下面には、支持脚１３、１４が折り畳まれた状態から開放されてゆくとき、支持脚ブラケット１３Ｍ、１４Ｍのガイド部２７３に当接して、掛止凹部２６１の掛止面２６１Ａを突出部２６９の上面に案内するガイド部２６９Ａが形成される。これら両ガイド部２７３、２６９Ａは、支持脚ブラケット１３Ｍ、１４Ｍが支持脚１３、１４の開放に応じて鉤部２６２、２６３に当接し鉤部２６２、２６３をばね２６７、２６８の付勢力に抗して押し上げると、互いに摺接位置を変えながら両ガイド部２７３、２６９Ａの終端に達し、開脚位置で突出部２６９の上面２７１を掛止凹部２６１の掛止面２６１Ａに案内するようになっている。鉤部２６２、２６３は、上部をばね２６７、２６８の付勢力に抗して押し回すと、掛止凹部２６１との係合が解かれるようになっている。掛止面２６１Ａの傾斜角度は水平面に対し、およそ１０度となっている。
【００５９】
この第２の変形例に係る門形クレーンでは、鉤部２６２、２６３を２枚の板状部材から構成し、鉤部２６２、２６３が掛止される掛止凹部２６１を支持脚ブラケット１３Ｍ、１４Ｍに設けたので、部品点数を削減して軽量化することができるとともに、コストダウンを図ることができる。なお、上記各開脚ロック機構１４０、２４０、２６０では、走行桁１２側に鉤部１４２、２４２、２５２、２６２、２６３を、支持脚１３、１４側に掛止片１４１、２４１および掛止凹部２６１をそれぞれ設けるようにしているが、これに限られるものではなく、逆にしてもよいことはいうまでもない。
【００６０】
次に、本発明の第２の実施の形態に係る門形クレーンについて、図１６および図１７に基づいて説明する。この第２の実施の形態に係る門形クレーンは、上記実施の形態およびその変形例に係る門形クレーンが、開脚ロック機構を、掛止部材１４０（２４０）により、折り畳みロック機構を、ロック機構３０１、４０１によりそれぞれ構成しているのに対し、図１６および図１７に示すように、これら開脚ロック機構と折り畳みロック機構との両方を兼ね備えた支持装置５４０により構成した点が異なっている。
【００６１】
支持装置５４０は、図１６および図１７に示すように、一端が走行桁下面１２Ｃの中央寄りに、他端が支持脚１３、１４の支持パイプ２４にそれぞれ回動可能に取り付けられる。この支持装置５４０は、図１６に示すように、スリット５４２に挿通された軸５４１を介して走行桁下面１２Ｃに揺動可能に取り付けられた筒状ベース部（支柱部）５４３と、このベース部５４３に進退動可能に収容され端部が軸５４４を介して支持パイプ２４に揺動可能に取り付けられた伸縮部５４５と、ワンタッチの操作により伸縮部５４５の進退動をロックまたはロック解除するロック部（支柱ロック部）５４６とを備えて構成される。ロック部５４６は、ロックボタン５４６Ａを押し込むと、伸縮部５４５の進退動がロックされ、ロック状態でロック解除ボタン５４６Ｂを一方向にスライドさせると、伸縮部５４５の進退動ロックが解除され、ロックボタン５４６Ａが突出して復帰するようになっている。
【００６２】
この支持装置５４０は、図１６に示すように、折り畳み時、伸縮部５４５の伸縮しろ全体がベース部５４３内に収容され、長手方向の寸法が最小となると、ロックボタン５４６Ａをワンタッチ操作して伸縮部５４５をロックするようになっている。このロック状態でロック解除ボタン５４６Ｂを押すと、折り畳んだ状態でのロックを解除することができ、支持脚１３、１４を開くことができるようになっている。ロック状態からロック解除ボタン５４６Ｂを操作し、支持脚１３、１４を開くと、この支持脚１３、１４の開放に応じて伸縮部５４５がベース部５４３から繰り出され、支持脚１３、１４が走行桁１２に突き当たり開脚位置に達すると、伸縮部５４５の伸縮しろ全体がベース部５４３から突出し、長手方向の寸法が最大となる。このとき、ロックボタン５４６Ａをワンタッチ操作して伸縮部５４５をロックするようになっている。
【００６３】
このように、第２の実施の形態に係る門形クレーンでは、支持脚１３、１４の折り畳み位置と開脚位置との両位置でロックボタン５４６Ａをワンタッチ操作して支持脚１３、１４をロックし、ロック解除ボタン５４６Ｂをワンタッチ操作することにより折り畳みロックまたは開脚ロックを解除することができるようになっている。
【００６４】
なお、上記支持装置５４０では、折り畳み時と開脚時に、ロックボタン５４６Ａを操作してロックするようにしているが、これに限られるものではなく、折り畳み位置または開脚位置に達すると、自動的にロックされるように構成してもよい。その場合、ロックボタンを５４６Ａを設けないで、ロック解除ボタン５４６Ｂのみを設けるようにしてもよい。
【００６５】
次に、本発明の第３の実施の形態に係る門形クレーンについて、図１８および図１９に基づいて説明する。この第３の実施の形態に係る門形クレーンは、上記第１ないし第２の実施の形態に係る門形クレーンが、開脚ロック機構を、掛止部材１４０（２４０）および支持装置５４０によりそれぞれ構成しているのに対し、図１８および図１９に示すように、弾発ロック装置６４０により構成した点が異なっている。
【００６６】
この弾発ロック装置６４０は、図１８および図１９に示すように、支持脚ブラケット１３Ａ、１４Ａに設けられ、左右両側が開放され、折り畳み時、平行桁２１、２２間に収容される箱状本体６４１と、本体６４１内にピン６４５を介して揺動可能に設けられ箱状本体両側の開放部から外部へ突出可能な２本の棒状開閉ストッパ金具（開閉部材）６４２Ａ、６４２Ｂと、これら開閉ストッパ金具６４２Ａ、６４２Ｂ間に設けられこれら開閉ストッパ金具６４２Ａ、６４２Ｂを弾発付勢力により外部に突出させるばね６４３とを備えて構成される。弾発ロック装置６４０は、図１９に示すように、折り畳み時、本体６４１内部に開閉ストッパ金具６４２Ａ、６４２Ｂを押し込んだ状態で平行桁２１、２２間に収容される。そして、支持脚１３、１４を折り畳んだ状態から開放してゆくと、弾発ロック装置６４０の本体６４１が平行桁２１、２２から徐々に露出し、支持脚１３、１４が開脚位置に達すると、走行桁下面１２Ｃから露出し、ばね６４３により開閉ストッパ金具６４２Ａ、６４２Ｂを弾発開放し、開閉ストッパ金具６４２Ａ、６４２Ｂの端部を外部に突出させて走行桁下面１２Ｃに当接させ、支持脚１３、１４をロックするようになっている。ロック解除時は、開閉ストッパ金具６４２Ａ、６４２Ｂを指で本体６４１内に押し込み、支持脚１３、１４をわずかに押し回して開閉ストッパ金具６４２Ａ、６４２Ｂを平行桁２１、２２内側面に当てるようになっている。
【００６７】
このように、第３の実施の形態に係る門形クレーンでは、開脚ロック機構を、支持脚１３、１４の回動軸側に取り付けられ、折り畳み時、走行桁１２間の空隙に収容され、開脚時、走行桁１２間から離脱してばね６４３により開閉ストッパ金具６４２Ａ、６４２Ｂを弾発開放し、この開閉ストッパ金具６４２Ａ、６４２Ｂの一部を走行桁下面１２Ｃに当接させる弾発ロック装置６４０により構成したので、折り畳まれた支持脚１３、１４を開脚する際、走行桁１２間の空隙に収容されていた開閉ストッパ金具６４２Ａ、６４２Ｂが、支持脚１３、１４の開脚位置で走行桁１２間から離脱した瞬間、ばね６４３により弾発開放されて走行桁下面１２Ｃに当接して支持脚１３、１４がロックされる。このため、支持脚１３、１４はワンタッチ操作で開脚ロック作業を行うことができる。
【００６８】
開閉ストッパ金具６４２Ａ、６４２Ｂは、開放時、走行桁１２下方でかつ支持脚１３、１４内側に位置することになるので、作業時、開閉ストッパ金具６４２Ａ、６４２Ｂに障害物が当たりにくい。また、開閉ストッパ金具６４２Ａ、６４２Ｂはばね６４３により付勢されて開放されるので、外部から振動や衝撃が加えられても開閉ストッパ金具６４２Ａ、６４２Ｂは閉じにくく、確実にロックされる。作業終了後、開閉ストッパ金具６４２Ａ、６４２Ｂをばね６４３の付勢力に抗して閉じると、開閉ストッパ金具６４２Ａ、６４２Ｂと走行桁１２との係合が解除され、支持脚１３、１４を押し倒すと、支持脚１３、１４は走行桁１２に折り畳まれる。このため、ワンタッチ操作で開脚および折り畳み作業を行うことができる。
【００６９】
次に、本発明の第４の実施の形態に係る門形クレーンについて、図２０および図２１（Ａ）、（Ｂ）に基づいて説明する。この第４の実施の形態に係る門形クレーンは、開脚ロック機構として弾発ロック装置７４０を備えている。弾発ロック装置７４０は、支持脚ブラケット１３Ａ、１４Ａに所定の間隔を隔てて平行に設けられ、折り畳み時、平行桁２１、２２間に収容される板状の上下ブラケット７４１Ａ、７４１Ｂと、これら上下ブラケット７４１Ａ、７４１Ｂ間に軸７４５を介して揺動可能に設けられ上下ブラケット７４１Ａ、７４１Ｂの両側から外部へ開放可能な直角台形状の開閉ストッパ金具（開閉部材）７４２Ａ、７４２Ｂと、これら開閉ストッパ金具７４２Ａ、７４２Ｂとブラケット７４１Ａ、７４１Ｂとの間にそれぞれに設けられ、これら開閉ストッパ金具７４２Ａ、７４２Ｂを弾発付勢力により外部に突出させるねじりばね７４３Ａ、７４３Ｂとを備えて構成される。
【００７０】
弾発ロック装置７４０は、図２１の（Ａ）に示すように、折り畳み時、上下ブラケット７４１Ａ、７４１Ｂ間に形成される空間内に開閉ストッパ金具７４２Ａ、７４２Ｂを押し込んだ状態で平行桁２１、２２間に収容され、開脚時、支持脚１３、１４が開脚位置に達すると、走行桁下面１２Ｃから露出し、ねじりばね７４３Ａ、７４３Ｂにより開閉ストッパ金具７４２Ａ、７４２Ｂを弾発開放し、開閉ストッパ金具７４２Ａ、７４２Ｂの開放端を外部に突出させて走行桁下面１２Ｃに当接させ、支持脚１３、１４をロックするようになっている。ロック解除時は、開閉ストッパ金具７４２Ａ、７４２Ｂを指で上下ブラケット７４１Ａ、７４１Ｂ間に形成される空間内に押し込み、支持脚１３、１４をわずかに押し回して開閉ストッパ金具７４２Ａ、７４２Ｂを平行桁２１、２２内側面に当てて納め、その状態で折り畳むようになっている。
【００７１】
このように、第４の実施の形態に係る門形クレーンでは、弾発ロック装置７４０が、支持脚１３、１４の回動軸側に取り付けられ、折り畳み時、走行桁１２間の空隙に収容され、開脚時、走行桁１２間から離脱してねじりばね７４３Ａ、７４３Ｂにより開閉ストッパ金具７４２Ａ、７４２Ｂを弾発開放し、この開閉ストッパ金具７４２Ａ、７４２Ｂの一部を走行桁下面１２Ｃに当接させるようにしたので、折り畳まれた支持脚１３、１４を開脚する際、走行桁１２間の空隙に収容されていた開閉ストッパ金具７４２Ａ、７４２Ｂが、支持脚１３、１４の開脚位置で走行桁１２間から離脱した瞬間、ねじりばね７４３により弾発開放されて走行桁下面１２Ｃに当接して支持脚１３、１４が開脚状態でロックされる。折り畳む際には、開脚ロック状態から開閉ストッパ金具７４２Ａ、７４２Ｂを上下ブラケット７４１Ａ、７４１Ｂ内に押し込み、支持脚１３、１４を押し回すと折り畳まれる。
【００７２】
次に、本発明の第５の実施の形態に係る門形クレーンについて、図２２、図２３（Ａ）、（Ｂ）および図２４（Ａ）、（Ｂ）に基づいて説明する。この第５の実施の形態に係る門形クレーンは、支持脚ブラケット１３Ｊ、１４Ｊが平行桁２１、２２の外側に設けられたタイプの門形クレーンに適用するもので、開脚ロック機構８４０を備えている。開脚ロック機構８４０は、支持脚内側結合プレート３１に設けられた弾発ロック装置８４１と、走行桁下面１２Ｃで平行桁２１、２２間に架設され、弾発ロック装置８４１の動作時、弾発ロック装置８４１の一部に当接する当接プレート８６１とにより構成される。弾発ロック装置８４１は、図２４の（Ａ）に示すように、両側面に円弧状スリット８４３の形成された断面コ字状のブラケット８４２と、このブラケット８４２に軸８４４を介して揺動可能に取り付けられたストッパブロック８４５と、このストッパブロック８４５に円弧状スリット８４３を介して接続されストッパブロック８４５と一体動する操作ピン８４６と、軸８４４を介してストッパブロック８４５とブラケット８４２との間に設けられ、ストッパブロック８４５をヒンジピン１６の方向へ弾発付勢するばね８４７とを備えて構成される。ストッパブロック８４５は、図２４の（Ａ）に示すように、揺動端のヒンジピン１６側の角部８４５Ａのなす角度がほぼ直角となるように形成される。
【００７３】
当接プレート８６１は、図２２、図２３の（Ａ）、（Ｂ）および図２４の（Ｂ）に示すように、ピンジピン１６の下方で平行桁２１、２２間に架設される。この当接プレート８６１は、図２３の（Ａ）、（Ｂ）に示すように、下面８６１Ｃのほぼ中央に下方に突出する突出部８６２が形成される。この突出部８６２は、図２４の（Ｂ）に示すように、当接プレート８６１の長辺部８６１Ａ、８６１Ｂのうち内側の長辺部８６１Ａのほぼ中央から傾斜して立ち上がる傾斜面８６３と、この傾斜面８６３に連続し平坦に形成される平坦面８６４と、この平坦面８６４と下面８６１Ｃとを接続し下面８６１Ｃに対しほぼ直角の角度で形成される縦壁面８６５とを有している。
【００７４】
上記第５の実施の形態に係る門形クレーンでは、図２２および図２３の（Ａ）に示すように、支持脚１３、１４を折り畳んだ状態から開放すると、弾発ロック装置８４１のストッパブロック８４５のヒンジピン１６側に向く面が、ばね８４７により当接プレート８６１の突出部８６２に突き当てられ、傾斜面８６３および平坦面８６４を通過し、支持脚１３、１４が開脚位置に達すると、ストッパブロック８４５の角部８４５Ａが縦壁面８６５と下面８６１Ｃとにより形成される空間に弾発力により入り込むようになっている。このため、支持脚１３、１４が開脚位置に達すると、自動的にロックされるようになっている。ロックを解除する際は、操作ピン８４６をスリット８４３に沿ってばね８４７の力に抗して押し下げると、ストッパブロック８４５は縦壁面８６５と下面８６１Ｃとの係合が解かれるので、その状態で支持脚１３、１４を押し回すと折り畳まれる。
【００７５】
次に、本発明の第６の実施の形態に係る門形クレーンについて、図２５および図２６（Ａ）、（Ｂ）に基づいて説明する。この第６の実施の形態に係る門形クレーンは、支持脚ブラケット１３Ｋ、１４Ｋが平行桁２１、２２の外側に設けられたタイプの門形クレーンに適用するもので、開脚ロック機構９４０を備えている。開脚ロック機構９４０は、支持脚内側接合プレート３１に設けられた弾発ロック装置９４１と、走行桁下面１２Ｃで平行桁２１、２２間に架設され、弾発ロック装置９４１の動作時、弾発ロック装置９４１の一部に当接する当接プレート９６１とにより構成される。弾発ロック装置９４１は、図２５および図２６（Ａ）、（Ｂ）に示すように、支持脚内側結合プレート３１上端に設けられたベース部９４２と、このベース部９４２に軸９４４を介して揺動可能に取り付けられたストッパ９４５と、ストッパ９４５とベース部９４２との間に設けられ、ストッパ９４５をヒンジピン１６の方向へ弾発付勢するばね９４７とを備えて構成される。
【００７６】
ストッパ９４５は、図２５および図２６（Ａ）、（Ｂ）に示すように、板状部９４５Ａと、この板状部９４５Ａからヒンジピン１６側に突出して形成された直方体状ブロック部９４５Ｂと、このブロック部９４５Ｂに連続しヒンジピン１６の反対側に折り曲げられた操作部９４５Ｃとを備えている。
【００７７】
当接プレート９６１は、図２５および図２６の（Ａ）、（Ｂ）に示すように、ピンジピン１６の下方で平行桁２１、２２間に架設される。この当接プレート９６１は、長辺部９６１Ａ、９６１Ｂのうち外側（支持脚側）の長辺部９６１Ｂの面にブロック部９４５Ｂの操作部９４５Ｃ側の面が当接するようになっている。
【００７８】
上記第６の実施の形態に係る門形クレーンでは、図２６の（Ａ）に示すように、支持脚１３、１４を折り畳んだ状態から開放すると、弾発ロック装置９４１のストッパ９４５のヒンジピン１６側に向いた面が、ばね８４７により当接プレート９６１の下面に突き当てられ、この下面を通過し、支持脚１３、１４が開脚位置に達すると、ブロック部９４５Ｂが当接プレート９６１の外側に弾発力により入り込み、ブロック部９４５Ｂは当接プレート９６１の外側面９６１Ｂに当接し、操作部９４５Ｃは折り曲げられて当接プレート９６１の下面側で手をかけて操作するできるようになっている。このため、支持脚１３、１４が開脚位置に達すると、自動的にロックされるようになっている。ロックを解除する際は、操作部９４５Ｃをばね９４７の力に抗して押し下げると、ストッパ９４５は当接プレート９６１との係合が解かれるので、その状態で支持脚１３、１４を押し回すと折り畳むことができるようになっている。
【００７９】
このように、上記第３ないし第６の実施の形態に係る門形クレーンでは、開脚ロック機構を、支持脚１３、１４のヒンジピン（回動軸）１６側に取り付けられ、折り畳み時、走行桁１２間の空隙に収容され、開脚時、走行桁１２間から離脱してばね６４３、７４３Ａ、７４３Ｂ、８４７、９４７によりロック部材６４２Ａ、６４２Ｂ、７４２Ａ、７４２Ｂ、８４５、９４５を弾発開放し、これらロック部材６４２Ａ、６４２Ｂ、７４２Ａ、７４２Ｂ、８４５、９４５の一部を走行桁１２側に当接させる弾発ロック装置（弾発ロック機構）６４０、７４０、８４０、９４０により構成しているので、折り畳まれた支持脚１３、１４を開脚する際、開脚位置で自動的に支持脚１３、１４がロックされる。
【００８０】
これらロック部材６４２Ａ、６４２Ｂ、７４２Ａ、７４２Ｂ、８４５、９４５は、開脚時、走行桁１２の下方でかつ支持脚１３、１４の内側に配置されることになるので、作業時、これらロック部材に障害物が当たりにくく、安全に作業することができる。また、これらロック部材６４２Ａ、６４２Ｂ、７４２Ａ、７４２Ｂ、８４５、９４５は、ばね６４３、７４３Ａ、７４３Ｂ、８４７、９４７により付勢されて当接されるので、外部から振動や衝撃が加えられてもこれらロック部材６４２Ａ、６４２Ｂ、７４２Ａ、７４２Ｂ、８４５、９４５は閉じることがなく、確実にロックされる。作業終了後、これらロック部材６４２Ａ、６４２Ｂ、７４２Ａ、７４２Ｂ、８４５、９４５をばね６４３、７４３Ａ、７４３Ｂ、８４７、９４７の付勢力に抗して操作するだけで、支持脚１３、１４のロックが解除され、支持脚１３、１４を押し倒すと、支持脚１３、１４は走行桁１２に折り畳まれる。このため、ワンタッチ操作で折り畳み作業を行うことができる。
【００８１】
次に、本発明の第７の実施の形態に係る門形クレーンについて、図２７ないし図２９の（Ａ）〜（Ｄ）に基づいて説明する。この第７の実施の形態に係る門形クレーンは、支持脚ブラケット１３Ｒ、１４Ｒが平行桁２１、２２の外側に設けられたタイプの門形クレーンに適用するもので、開脚ロック機構９７０を備えている。開脚ロック機構９７０は、支持脚ブラケット１３Ｒ、１４Ｒにそれぞれ設けられた弾発ロック装置９７１と、平行桁２１、２２の外側壁１２Ａ、１２Ｂにそれぞれ設けられ、弾発ロック装置９７１のロックピン９７５が嵌入可能な掛止凹部９７２が形成された掛止板２５Ａ、２６Ａとを備えて構成される。支持脚ブラケット１３Ｒ、１４Ｒは、図２７および図２８に示すように、支持脚１３、１４から走行桁１２に向かってヒンジピン１６で結んだほぼ三角形状に形成され、ヒンジピン１６を介して走行桁１２の外側壁１２Ａ、１２Ｂに沿って回動するように支持脚１３、１４に取り付けられる。この支持脚ブラケット１３Ｒ、１４Ｒには、図２８および図２９の（Ａ）ないし（Ｄ）に示すように、円孔１３Ｓ、１４Ｓが穿設される。
【００８２】
支持脚ブラケット１３Ｒ、１４Ｒの円孔１３Ｓ、１４Ｓには、図２８および図２９の（Ａ）ないし（Ｄ）に示すように、弾発ロック装置９７１が取り付けられる。弾発ロック装置９７１は、円孔１３Ｓ、１４Ｓから外側に突出して取り付けられた円筒状本体９７３と、この本体９７３にばね９７４を介して収容され常時支持脚ブラケット１３Ｒ、１４Ｒの内側に突出するように付勢されたロックピン９７５と、このロックピン９７５の外側端部に取り付けられ、本体９７３の外側開口部に当接してロックピン９７５が所定の突出距離（ほぼ掛止板２５Ａ、２６Ａの厚さに相当する距離）以上内側に変位するのを規制するとともに、手でつまんでロックピン９７５をばね９７４の付勢力に抗して本体９７３内部に引き戻し可能な解除摘み９７６とを備えて構成される。
【００８３】
ロックピン９７５には、図２９の（Ａ）ないし（Ｄ）に示すように、下部に軸方向に沿って回り止め溝９７７が形成される。本体９７３には、この回り止め溝９７７に突出するよう回り止めピン９７８が取り付けられる。ロックピン９７５の内側端面９７５Ａには、支持脚ブラケット１３Ｒ、１４Ｒの回動時、走行桁１２側への進入する方向先端側に傾斜して形成されたガイド面９７９が形成される。
【００８４】
掛止板２５Ａ、２６Ａには、図２７および図２９の（Ｃ）に示すように、支持脚ブラケット１３Ｒ、１４Ｒとの間にロックピン９７５を円滑に掛止凹部９７２に導くためのガイドプレート９８０が設けられる。また、掛止板２５Ａ、２６Ａには、ロックピン９７５の進入側部位が傾斜して形成され、ガイド面９８１を構成している。すなわち、掛止板２５Ａ、２６Ａのガイド面９８１は、支持脚１３、１４の開放時、ロックピン９７５が掛止板２５Ａ、２６Ａに達すると、ロックピン９７５のガイド面９７９が当たり、両ガイド面９８１、９７９同士が摺接して円滑にロックピン９７５の内側端面９７５Ａを掛止板２５Ａ、２６Ａ上面に導くようになっている。なお、ガイドプレート９８０は、ロックピン９７５が掛止凹部９７２に円滑に導かれるのであれば設けなくてもよい。
【００８５】
上記第７の実施の形態に係る門形クレーンでは、図２７および図２９の（Ａ）ないし（Ｃ）に示すように、支持脚１３、１４を折り畳んだ状態から開放すると、弾発ロック装置９７１のロックピン９７５は、ばね９７４により内側端部が本体９７３から内側に飛び出した状態のままで（図２７の（イ）および図２９の（Ａ）参照）、支持脚１３、１４は開脚方向に押し回される。支持脚１３、１４がさらに押し回され、弾発ロック装置９７１のロックピン９７５が、掛止板２５Ａ、２６Ａのガイド面９８１に達すると（図２７の（ロ）および図２９の（Ｂ）参照）、両ガイド面９８１、９７９が互いに摺接して、ロックピン９７５は、ばね９７４の付勢力に打ち勝ち本体９７３内に押し込まれた状態で掛止板２５Ａ、２６Ａの上面を摺動する。そして、支持脚１３、１４の開脚位置で掛止板２５Ａ、２６Ａの掛止凹部９７２上にロックピン９７５が達すると、ばね９７４によりロックピン９７５が掛止凹部９７２に自動的に入り込み（図２７の（ハ）および図２９の（Ｃ）参照）、支持脚１３、１４がロックされるようになっている。ロックを解除する際は、解除摘み９７６をばね９７４の付勢力に抗して引っ張ると、ロックピン９７５は、掛止凹部９７２との係合が解かれるので、その状態で支持脚１３、１４を内側に押し回すと折り畳むことができるようになっている。このように、上記第７の実施の形態に係る門形クレーンでは、折り畳まれた支持脚１３、１４を開脚する際、開脚位置で自動的に支持脚１３、１４がロックされる。
【００８６】
なお、上記第１の実施の形態では、伸縮脚部１３Ｂは一方の支持脚１３にのみ設けられているがこれに限られるものではなく、両方の支持脚１３、１４に設けてもよいことはいうまでもない。さらに、上記第１の実施の形態では、支持脚ブラケット１３Ａ、１４Ａはそれぞれ２枚のプレートから構成するようにしているが、これに限られるものではなく、肉厚のある１枚のプレートまたは箱形状に形成しピン孔３４を設けるようにしてもよい。
【００８７】
【発明の効果】
以上述べたように本発明の第１の発明に係る門形クレーンによれば、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、支持脚が上記開脚位置で走行桁に突き当たると支持脚をロックする開脚ロック機構を、走行桁と支持脚とのうち少なくともいずれか一方に設けたことにより、組み立て、解体作業を迅速かつ簡便に行うことができ、作業効率が大幅に向上する効果がある。
【００８８】
また、本発明の第２の発明に係る門形クレーンによれば、上部を巻き上げ機が走行自在に移動する走行桁と、この走行桁の両端に折り畳み可能に取り付けられ、所定の開放位置で回動が規制されて開脚し走行桁を支持する支持脚とを備えた門形クレーンにおいて、両側の支持脚のうち少なくとも一方を、走行桁に折り畳み可能に取り付けられた円筒状脚部と、この円筒状脚部に脚長さを調整可能に収容された伸縮脚部とを備えて構成するとともに、円筒状脚部には下部にピンが挿通可能な挿通孔を穿設し、伸縮脚部には上記挿通孔と合致する調節孔を上下に多数穿設し、これら円筒状脚部と伸縮脚部とには伸縮脚部の回り止めをはかる回り止め機構を設けるとともに、ピンに係止溝を形成し、円筒状脚部には、ピン挿通時、ピンの係止溝に係脱自在に係止されピンの抜け止めをはかる抜け止め機構を設けたことにより、支持脚の伸縮作業を迅速かつ簡便に行うことができ、作業効率を向上させることができる。
【図面の簡単な説明】
【図１】本発明の第１の実施の形態に係る門形クレーンを示す正面図である。
【図２】図１の門形クレーンの側面図である。
【図３】図１のＩＩＩ−ＩＩＩ線に沿った要部の縦断面図である。
【図４】（Ａ）ないし（Ｄ）はそれぞれ、伸縮可能な支持脚を示す側面図、ロック時の状態を示す説明図、回り止め係止部を示す説明図、抜け止め係止部を示す説明図である。
【図５】支持脚上部の構造を示す説明図である。
【図６】門形クレーンを折り畳み重ねた状態を示す説明である。
【図７】本発明の第１の実施の形態に係る門形クレーンの要部を示す説明図である。
【図８】図７の要部の側面図である。
【図９】第１の実施の形態の第１の変形例に係る門形クレーンの要部を示す説明図である。
【図１０】図９の要部の側面図である。
【図１１】折り畳みロック機構の一例を示す説明図である。
【図１２】折り畳みロック機構の他の例を示す説明図である。
【図１３】図１２の折り畳みロック機構の側面図である。
【図１４】第１の実施の形態の第２の変形例に係る門形クレーンの要部を示す説明図である。
【図１５】図１４の要部の側面図である。
【図１６】第２の実施の形態に係る門形クレーンの要部を示す説明図である。
【図１７】図１６の門形クレーンを下方から見た説明図である。
【図１８】第３の実施の形態に係る門形クレーンの要部を示す説明図である。
【図１９】図１８の門形クレーンの要部の正面図である。
【図２０】第４の実施の形態に係る門形クレーンの要部を示す説明図である。
【図２１】（Ａ）、（Ｂ）はそれぞれ、図２０の門形クレーンの要部の正面図および図２０の門形クレーンの要部を下方から見た説明図である。
【図２２】第５の実施の形態に係る門形クレーンの要部を示す説明図である。
【図２３】（Ａ）、（Ｂ）はそれぞれ、図２２の門形クレーンの要部の正面図および図２２の門形クレーンの要部を下方から見た説明図である。
【図２４】（Ａ）、（Ｂ）はそれぞれ、図２２の弾発ロック装置および当接プレートを示す説明図である。
【図２５】第６の実施の形態に係る門形クレーンの要部を示す説明図である。
【図２６】（Ａ）、（Ｂ）はそれぞれ、図２５の門形クレーンの要部の正面図および図２５の門形クレーンの要部を下方から見た説明図である。
【図２７】第７の実施の形態に係る門形クレーンの要部を示す説明図である。
【図２８】図２７の門形クレーンの要部の側面図である。
【図２９】（Ａ）ないし（Ｃ）はそれぞれ、図２７の（イ）ないし（ロ）の位置に弾発ロック装置があるときの動作の状態を示す説明図、（Ｄ）はロックピンの内側端面を示す説明図である。
【図３０】従来の門形クレーンを示す正面図である。
【図３１】従来の門形クレーンの要部を示す説明図である。
【符号の説明】
１２　走行桁
１３、１４　支持脚
２３　桁結合プレート
３２　支持脚外側結合プレート
１４０　掛止部材（開脚ロック機構）
１４１　掛止片
１４２　鉤部
１４３　ばね
【図１】
2004043038.tif 000003
【図２】
2004043038.tif 000004
【図３】
2004043038.tif 000005
【図４】
2004043038.tif 000006
【図５】
2004043038.tif 000007
【図６】
2004043038.tif 000008
【図７】
2004043038.tif 000009
【図８】
2004043038.tif 000010
【図９】
2004043038.tif 000011
【図１０】
2004043038.tif 000012
【図１１】
2004043038.tif 000013
【図１２】
2004043038.tif 000014
【図１３】
2004043038.tif 000015
【図１４】
2004043038.tif 000016
【図１５】
2004043038.tif 000017
【図１６】
2004043038.tif 000018
【図１７】
2004043038.tif 000019
【図１８】
2004043038.tif 000020
【図１９】
2004043038.tif 000021
【図２０】
2004043038.tif 000022
【図２１】
2004043038.tif 000023
【図２２】
2004043038.tif 000024
【図２３】
2004043038.tif 000025
【図２４】
2004043038.tif 000026
【図２５】
2004043038.tif 000027
【図２６】
2004043038.tif 000028
【図２７】
2004043038.tif 000029
【図２８】
2004043038.tif 000030
【図２９】
2004043038.tif 000031
【図３０】
2004043038.tif 000032
【図３１】
2004043038.tif 000033